(57)【要約】【課題】  （１）短時間且つ低コストにブースの組み立てや解体ができ、（２）ブースの設置場所を選ばず、出入り口が狭い場合でも容易に搬入搬出でき、（３）一旦設置した後も容易にブースの移動が可能で、（４）演出効果の優れた組立式個室型ブースを提供する。【解決手段】  少なくとも外壁面が２次曲面形状を有する側面パネル部材及び該側面パネル部材を両側端部で保持するように接合された長尺角筒状の連結介在部材からなる複数の側面パネルユニットと、該複数の側面パネルユニットのうち少なくとも相対向する一対の側面パネルユニットにおける側面パネル部材の下端部に当接して支持する支持部を有する底部材とを備え、前記連結介在部材の開放端側の長手方向に複数のパネル連結手段を設け、且つ前記底部材の支持部にパネル連結手段を設けると共に、該支持部に当接する前記側面パネル部材の下端部にパネル連結手段を設けてなるようにした。【選択図】  図１
2006070550.tif 000002
【特許請求の範囲】
【請求項１】
少なくとも外壁面が２次曲面形状を有する側面パネル部材及び該側面パネル部材を両側端部で保持するように接合された長尺角筒状の連結介在部材からなる複数の側面パネルユニットと、該複数の側面パネルユニットのうち少なくとも相対向する一対の側面パネルユニットにおける側面パネル部材の下端部に当接して支持する支持部を有する底部材とを備え、前記連結介在部材の開放端側の長手方向に複数のパネル連結手段を設け、且つ前記底部材の支持部にパネル連結手段を設けると共に、該支持部に当接する前記側面パネル部材の下端部にパネル連結手段を設けてなり、前記複数の側面パネルユニット及び底部材を前記パネル連結手段によって連結することにより略円筒形に組み立てることを特徴とする組立式個室型ブース。
【請求項２】
前記パネル連結手段は、一対の筐体のうち、相対向する側方を開放端とした一方の筐体に回動軸を設けた偏心カムと該偏心カムを嵌装するフックとを内装し、相対向する側方を開放端とした他方の筐体に係止ピンを内装してなり、前記回動軸を操作して前記偏心カムを回動せしめることにより前記フックを回動せしめて、該フックを前記係止ピンに引っ掛けた後、偏心カムを更に回動せしめてフックを引き寄せることにより、該フックと該係止ピンとが緊締連結されるようにしたパネルファスナーであることを特徴とする請求項１記載の組立式個室型ブース。
【請求項３】
前記底部材は、正方形乃至矩形の４隅を夫々面取りした４箇所の面取り面を有する８角形状の枠体であり、該面取り面に接する上面部を支持部としてパネル連結手段を設けることを特徴とする請求項１又は２記載の組立式個室型ブース。
【請求項４】
前記複数の側面パネルユニットのうち少なくとも相対向する一対の側面パネルユニットにおける側面パネル部材は、前記底部材の支持部のうち隣接する２箇所の支持部に載架されるように構成されており、該２箇所の支持部に当接する該側面パネル部材の下端部の２箇所にパネル連結手段を設けることを特徴とする請求項１〜３のいずれか１項記載の組立式個室型ブース。
【請求項５】
前記複数の側面パネルユニットのうち少なくとも一つにおける側面パネル部材は、透明性を有するガラス製又は合成樹脂製の２次曲面形状の窓材と、該窓材の上部に設けられた少なくとも外壁面が２次曲面形状を有する上部側面パネル部材と、該窓材の下部に設けられた少なくとも外壁面が２次曲面形状を有する下部側面パネル部材とから構成されることを特徴とする請求項１〜４のいずれか１項記載の組立式個室型ブース。
【請求項６】
前記複数の側面パネルユニットにおける側面パネル部材は、２次曲面形状の内壁材と、２次曲面形状の外壁材と、該内壁材及び外壁材の間に設けられた縦方向に複数の壁面補強アングルを備える円弧状パネルフレームとからなり、該円弧状パネルフレームには内装部品又は外装部品を取り付ける際の取付孔を穿設してなることを特徴とする請求項１〜５のいずれか１項記載の組立式個室型ブース。
【請求項７】
前記側面パネル部材の内壁面に沿った円弧形状を有する円弧状棚板を内装部品として取り付ける場合において、該円弧状棚板の両端近傍の底面外周縁に嵌合溝を凹設すると共に、該嵌合溝に対応する２箇所及びその間の１箇所以上に前記円弧状パネルフレームの取付孔を穿設して取付ピンを挿設し、該取付ピンと該嵌合溝とが嵌合するようにしたことを特徴とする請求項６記載の組立式個室型ブース。
【請求項８】
前記底部材の周囲を囲繞する円環状カバー帯を更に備えることを特徴とする請求項１〜７のいずれか１項記載の組立式個室型ブース。
【請求項９】
前記円環状カバー帯は、両端に内側に折曲されたフランジ部を有する一対の半円環状カバー帯からなり、該一対の半円環状カバー帯により前記底部材の周囲を囲繞するように相対向して配置し、該フランジ部同士を締結してなることを特徴とする請求項８記載の組立式個室型ブース。
【請求項１０】
前記底部材には、作動位置又は据置位置に車輪を進退自在とされたキャスターが着脱自在に付設されることを特徴とする請求項１〜９のいずれか１項記載の組立式個室型ブース。
【請求項１１】
前記キャスターは、前記底部材の面取り面に接する両側面における前記側面パネルユニットを組み立てた場合の円周との接線近傍に、外方に開放した開口部を有する断面コ字形状のアングルを設け、該アングルの開口部に嵌合すると共に前記底部材の面取り面とその両隣に位置する該アングルの内側面との３面に当接するように折曲されたアーム片を有する取付治具を介して、該底部材に対して着脱自在に付設されることを特徴とする請求項１０記載の組立式個室型ブース。
【発明の詳細な説明】
【技術分野】
【０００１】
本発明は、各種の催事会場やイベント会場等において、出展者の受付や案内又は展示や販売等のために短期間仮設される個室型のブースであって、設営時の組み立て及び撤収時の解体を簡易に行うことのできる組立式個室型ブースに関する。
【背景技術】
【０００２】
近年、企業の商品や地域の地場産業品の販促活動が活発になり、展示会や即売会等が催される機会が増えてきた。そうした中で各出展者は、個性を演出したり、来場者の目を引くために受付や展示等のブースとして個室型のものを用意する場合が多くなっている。
【０００３】
しかし、従来の催事会場等に仮設されるブースは、現場作業にて合板等を加工して製作したり、工場等で完成したブースをそのまま運搬してきて設置したりする場合が多かった。前者は設営に時間と労力が掛かり、撤収時に大量の廃棄物が排出される等、コスト面、環境面での問題があり、また、現場作業であるためデザイン面でも制約され、演出上の問題もあった。後者は、例えば、屋内の催事会場等に仮設する場合等のように出入り口や設置場所が狭い場合に、完成したブースをそのまま搬入することが困難乃至不可能になる等の問題があった。また、会場内でのブースの設置位置に変更が生じた場合、両者とも一旦設置した後は容易に移動することができない等の問題もあった。
【０００４】
また、組立式のブースも提案されてはいるが、その基本形態としては箱形ものであり（例えば、特許文献１等）、他の出展者との差別化を図り来場者の注目を惹起するという演出効果の上では不充分であった。
【特許文献１】特開２０００−１６０８５４号公報
【特許文献２】実開昭５４−９４００４号公報
【特許文献３】実公昭５９−４２６２９号公報
【特許文献４】実開昭６２−１１８７０２号公報
【発明の開示】
【発明が解決しようとする課題】
【０００５】
本発明は上記問題点に鑑みてなされたものであり、（１）短時間且つ低コストにブースの組み立てや解体ができ、（２）ブースの設置場所を選ばず、出入り口が狭い場合でも容易に搬入搬出でき、（３）一旦設置した後も容易にブースの移動が可能で、（４）演出効果の優れた組立式個室型ブースを提供することを目的とするものである。
【課題を解決するための手段】
【０００６】
上記課題を解決するために、本発明の円筒型の組立式個室型ブースは、少なくとも外壁面が２次曲面形状を有する側面パネル部材及び該側面パネル部材を両側端部で保持するように接合された長尺角筒状の連結介在部材からなる複数の側面パネルユニットと、該複数の側面パネルユニットのうち少なくとも相対向する一対の側面パネルユニットにおける側面パネル部材の下端部に当接して支持する支持部を有する底部材とを備え、前記連結介在部材の開放端側の長手方向に複数のパネル連結手段を設け、且つ前記底部材の支持部にパネル連結手段を設けると共に、該支持部に当接する前記側面パネル部材の下端部にパネル連結手段を設けてなり、前記複数の側面パネルユニット及び底部材を前記パネル連結手段によって連結することにより略円筒形に組み立てることを特徴とする。
【０００７】
演出効果の点では全方位から目を引くブースの形状デザインとして円筒形が一つの代表的な形状として挙げられるので、ブースの組み立て後の完成形態として円筒形を採用すると共に、短時間且つ低コストにブースの組み立てや解体を行うことができ、ブースの設置場所を選ばず、出入り口が狭い場合でも容易に搬入搬出できるように、コンパクトなモジュール毎に分割して構成することとしたものである。
【０００８】
前記パネル連結手段は、一対の筐体のうち、相対向する側方を開放端とした一方の筐体に回動軸により回動自在とされた偏心カムと該偏心カムを基端部に嵌装するフックとを内装し、相対向する側方を開放端とした他方の筐体に係止ピンを内装してなり、前記回動軸を操作して前記偏心カムを回動せしめることにより前記フックを回動せしめて、該フックを前記係止ピンに引っ掛けた後、偏心カムを更に回動せしめてフックを引き寄せることにより、該フックと該係止ピンとが緊締連結されるようにしたパネルファスナーであることが好ましい。
【０００９】
該底部材は、正方形乃至矩形の４隅を夫々面取りした４箇所の面取り面を有する８角形状の枠体であり、該面取り面に接する上面部を支持部としてパネル連結手段を設けることが好ましい。
【００１０】
前記複数の側面パネルユニットのうち少なくとも相対向する一対の側面パネルユニットにおける側面パネル部材は、前記底部材の支持部のうち隣接する２箇所の支持部に載架されるように構成されており、該２箇所の支持部に当接する該側面パネル部材の下端部の２箇所にパネル連結手段を設けることが好ましい。
【００１１】
前記複数の側面パネルユニットのうち少なくとも一つにおける側面パネル部材は、透明性を有するガラス製又は合成樹脂製の２次曲面形状の窓材と、該窓材の上部に設けられた少なくとも外壁面が２次曲面形状を有する上部側面パネル部材と、該窓材の下部に設けられた少なくとも外壁面が２次曲面形状を有する下部側面パネル部材とから構成されることが好ましい。
【００１２】
前記複数の側面パネルユニットにおける側面パネル部材は、２次曲面形状の内壁材と、２次曲面形状の外壁材と、該内壁材及び外壁材の間に設けられた縦方向に複数の壁面補強アングルを備える円弧状パネルフレームとからなり、該円弧状パネルフレームには内装部品又は外装部品を取り付ける際の取付孔を穿設してなることが好ましい。
【００１３】
前記側面パネル部材の内壁面に沿った円弧形状を有する円弧状棚板を内装部品として取り付ける場合において、該円弧状棚板の両端近傍の底面外周縁に嵌合溝を凹設すると共に、該嵌合溝に対応する２箇所及びその間の１箇所以上に前記円弧状パネルフレームの取付孔を穿設して取付ピンを挿設し、該取付ピンと該嵌合溝とが嵌合するようにしたことが好ましい。
【００１４】
前記底部材の周囲を囲繞する円環状カバー帯を更に備えることが好ましい。前記円環状カバー帯は、両端に内側に折曲されたフランジ部を有する一対の半円環状カバー帯からなり、該一対の半円環状カバー帯により前記底部材の周囲を囲繞するように相対向して配置し、該フランジ部同士を締結してなることが好適である。
【００１５】
前記底部材には、該底部材に対して着脱自在であると共に作動位置又は据置位置に車輪を進退自在とされた脱着式キャスター装置が付設されることが好ましい。前記脱着式キャスター装置は、前記底部材の面取り面に接する両側面における前記側面パネルユニットを組み立てた場合の円周との接線近傍に、外方に開放した開口部を有する断面コ字形状のアングルを設け、該アングルの開口部に嵌合すると共に前記底部材の面取り面とその両隣に位置する該アングルの内側面との３面に当接するように折曲されたアーム片を有する取付治具を介して、該底部材に対して着脱自在に付設されることが好適である。
【発明の効果】
【００１６】
本発明によれば、（１）ブースの設置及び撤去に要する時間および費用が節約でき、（２）ブースの設置場所を選ばず、出入り口が狭い場合でも容易に搬入搬出でき、（３）一旦設置した後も容易にブースの移動が可能で、（４）高い演出性をもった円筒形の組立式個室型ブースを提供することができるという大きな効果を奏する。
【発明を実施するための最良の形態】
【００１７】
以下に本発明の実施の形態を添付図面に基づいて説明するが、図示例は例示的に示されたもので、本発明の技術的思想から逸脱しない限り種々の変形が可能なことは言うまでもない。
【００１８】
まず、図１〜図１１に基づいて、本発明ブースの基本的構成例について説明する。
図１は、本発明ブースの組み立て完成後の外観を示す斜視説明図である。図２は、本発明ブースを各モジュールに分解して示す斜視説明図である。図３は、本発明ブースを底面側から示す底面説明図である。図４は、側面パネルユニットの一部を分解して内側から示す斜視説明図である。図５は、側面パネルユニットの外側を示す斜視説明図である。図６は、側面パネルユニットを各構成部材に分解して外側から示す斜視説明図である。図７は、側面パネル部材の構成の一部を分解して外側から示す斜視説明図である。図８は、パネル連結手段の取り付け態様を示す要部拡大説明図である。図９は、パネル連結手段の動作を示す説明図であって、（ａ）はその斜視図であり、（ｂ）はその側面要部断面図である。図１０は、円環状カバー帯を示す斜視説明図である。図１１は、円環状カバー帯の取り付け態様を示す斜視説明図である。図１２は、図３及び図１１におけるＰ−Ｐ’部の断面説明図である。図中、符号１０は本発明の組立式個室型ブースである。
【００１９】
本発明の組立式個室型ブース１０は、組み立て完成後は略円筒形の外観を呈するものであり（図１）、本発明ブース１０は、底部材２と、側面パネルユニット４ａ，４ｂ，４ｃ，４ｄと、天井部材６という各モジュールに分割して構成される（図２）。なお、天井部材６は、本発明ブース１０の天井を構成し得る板状部材であれば、特に材質や形状等は限定されず、また、本発明ブース１０の設置場所が屋内である場合ならば、雨天等の心配もないので、会場の照明の明かりが本発明ブース１０の室内に入り易いようにするために、必ずしも設ける必要はない。
【００２０】
底部材２は、側面パネルユニット４ａ，４ｂ，４ｃ，４ｄを立設せしめるために、その下端部を支持するためのものであり、材質は特に限定されないが、側面パネルユニット４ａ，４ｂ，４ｃ，４ｄを支持する関係上、強度や剛性の高い鋼材であることが望ましい。底部材２は、側面パネルユニット４ａ，４ｂ，４ｃ，４ｄを組み合わせた場合の円筒形の円周に合わせて円盤状のものとしてもよいが、鋼材を円形に加工することは利便性やコスト面で不利であるので、４角形（正方形或いは矩形）の４隅部分を夫々面取りし、４箇所の面取り面３ａ，３ｂ，３ｃ，３ｄが形成された８角形状の枠体とすることが望ましい。この面取り面３ａ，３ｂ，３ｃ，３ｄは、側面パネルユニット４ａ，４ｂ，４ｃ，４ｄを組み立てた場合の円筒形の円周と略一致するように形成し、面取り面３ａ，３ｂ，３ｃ，３ｄに接する上面部を側面パネルユニット４ａ，４ｂ，４ｃ，４ｄを立設するための支持部５ａ，５ｂ，５ｃ，５ｄとする（図３）。また、底部材２を枠体で形成した場合は、適宜対辺間に補強リブ２ａを横架することが好ましい。なお、以下の説明では、底部材２としては枠体を使用した場合を主に説明するが、上記要領で８角形状にしたパネル状の板材としてもよい。なおまた、底部材２を枠体とした場合は、人が立って作業できるように、適宜、床材を敷設する。
【００２１】
側面パネルユニット４ａ，４ｂ，４ｃ，４ｄは、夫々が側面パネル部材１２ａ，１２ｂ，１２ｃ，１２ｄと、これら側面パネル部材１２ａ，１２ｂ，１２ｃ，１２ｄの夫々の両側端に接合して保持する連結介在部材２０ａ１，２０ａ２，２０ｂ１，２０ｂ２，２０ｃ１，２０ｃ２，２０ｄ１，２０ｄ２とからなるものである。即ち、側面パネルユニット４ｃの場合であれば、側面パネル部材１２ｃと、その両側端に接合する連結介在部材２０ｃ１，２０ｃ２とからなるものである（図４）。側面パネル部材１２ａ〜１２ｄは、その夫々が、少なくとも外壁面において、互いに組み合わせた場合に略円筒形をなすような２次曲面形状を有する必要がある。本発明ブース１０は、組み立て完成後は略円筒形の外観を呈するようにする必要があるからである。また、連結介在部材２０ａ１〜２０ｄ２は、側面パネル部材１２ａ〜１２ｄの縦方向長さと一致するように長尺とし、軽量化等の観点から内部中空の角筒状であることが望ましい。
【００２２】
また、側面パネルユニット４ａ，４ｂ，４ｃ，４ｄのうち、相対向する一対の側面パネルユニット４ｂ，４ｃについては、その側面パネル部材１２ｂ，１２ｃは底部材２の支持部５ａ，５ｂ，５ｃ，５ｄのうちの隣接する２箇所の支持部の間に載架され得るように構成することが望ましい（図３、図１１）。即ち、側面パネルユニット４ｂの側面パネル部材１２ｂは、底部材２の支持部５ｂ，５ｄの間に載架されるように、側面パネル部材１２ｃは、底部材２の支持部５ａ，５ｃの間に載架されるように構成する（図３、図１１）。底部材２を上述したように枠体で構成した場合、その支持部５ａ，５ｂ，５ｃ，５ｄは、比較的の面積の狭い部分となるので、側面パネルユニット４ａ，４ｂ，４ｃ，４ｄの全てを夫々支持するのではなく、相対向する一対の側面パネルユニット４ｂ，４ｃの側面パネル部材１２ｂ，１２ｃのみを安定した状態で支持し、他の側面パネルユニット４ａ，４ｄについては、側面パネル部材１２ｂ，１２ｃに対して固定するようにすれば、全ての側面パネルユニット４ａ，４ｂ，４ｃ，４ｄを安定確実に立設せしめることができる。
【００２３】
側面パネル部材１２ａ〜１２ｄとしては、少なくとも外壁面において、互いに組み合わせた場合に略円筒形をなすような２次曲面形状であれば良く、側面パネル部材１２ａ〜１２ｄを構成するパーツとしては、種々の部品を採用することができる。図示例では、側面パネル部材１２ａは、販売や案内のための開閉式窓材Ｗａを備え、側面パネル部材１２ｂ，１２ｃは、観覧等のための透明な窓材Ｗｂ，Ｗｃを備え、側面パネル部材１２ｄは、人の出入りのための扉材Ｄを備えることとされている（図２）。なお、この扉材Ｄは、例えば開閉操作のためのドアノブＤｋ及び開閉スピードを調整するドアクローザーＤｃを有するものである（図２、図３）。
【００２４】
代表例として、側面パネルユニット４ｃの場合を説明すると、側面パネル部材１２ｂは、上部側面パネル部材１４ｂと、窓材Ｗｂと、下部側面パネル部材１６ｂとから構成され、窓材Ｗｂを上部側面パネル部材１４ｂと下部側面パネル部材１６ｂとで挟み込むと共に、これらを両端に接合する長尺角筒状の連結介在部材２０ｂ１，２０ｂ２で挟持するようにして保持されているものである（図５、図６）。上部側面パネル部材１４ｂ、窓材Ｗｂ、下部側面パネル部材１６ｂは夫々が２次曲面形状を有するものであり、窓材Ｗｂは透明性を有するものであれあば、ガラス製でも合成樹脂製でもよいが、加工容易性やコスト面或いは軽量化の観点から合成樹脂製であることが望ましい。
【００２５】
上部側面パネル部材１４ｂと下部側面パネル部材１６ｂはその基本構造が略同様であるので、下部側面パネル部材１６ｂにつき説明すると、下部側面パネル部材１６ｂは、２次曲面形状の内壁材１９と、２次曲面形状の外壁材１８と、内壁材１９及び外壁材１８に合わせた円弧を有し、縦方向の対辺間に複数の壁面補強アングル１７ａが横架された円弧状パネルフレーム１７とからなるもので、円弧状パネルフレーム１７が内壁材１９及び外壁材１８の間に設けられたサンドイッチ構造をなしているものである（図７）。内壁材１９及び外壁材１８の材質は特に限定されないが、例えば亜鉛めっき鋼板等を利用できる。円弧状パネルフレーム１７の材質は特に限定されず、適当な強度と剛性を有する鋼材等であればよい。また、必要に応じて、円弧状パネルフレーム１７には、内装部品又は外装部品を取り付ける際の取付孔を穿設することができ、例えば、外装部品を取り付ける場合であれば、円弧状パネルフレーム１７の壁面補強アングル１７ａに取付孔１７ｂを穿設し、これに合わせて、外壁材１８にも貫通孔１８ａを穿孔するようにすればよい。
【００２６】
上記構造を有する底部材２と側面パネルユニット４ａ〜４ｄを組み立てるために、底部材２と側面パネルユニット４ａ〜４ｄには、夫々の対応する位置にパネル連結手段Ｆを備える。まず、底部材２と側面パネルユニット４ａ〜４ｄを緊締するために、底部材２は、その支持部５ａ〜５ｄの夫々にパネル連結手段Ｆが内設されており（図３、図１１、図１２）、これに対応して、側面パネル側面パネルユニット４ａ〜４ｄにおける側面パネル部材１２ａ〜１２ｄの下端部にもパネル連結手段Ｆを内設する。図示例では、側面パネルユニット４ｂの側面パネル部材１２ｂを底部材２の支持部５ｂ，５ｄの間に載架されるように、側面パネル部材１２ｃを底部材２の支持部５ａ，５ｃの間に載架されるように構成しているので（図３、図１１）、底部材２の支持部５ａ〜５ｄに内設されたパネル連結手段Ｆに対応する部分は、側面パネル側面パネルユニット４ｂ，４ｃにおける側面パネル部材１２ｂ，１２ｃの両側端近傍の下端部になる（図３、図７等）。また、側面パネルユニット４ａ〜４ｄ同士を緊締するために、夫々の連結介在部材２０ａ１〜２０ｄ２の開放端側（側面パネル部材１２ａ〜１２ｄと接合していない側）の長手方向に複数のパネル連結手段Ｆを夫々対応する位置に内設する（図２、図４、図８）。
【００２７】
パネル連結手段Ｆは、いわゆるパネルファスナーと呼ばれるものである。パネル連結手段Ｆの構造及び動作につき説明すると、パネル連結手段Ｆは、一対の筐体６０ａ，６０ｂを備える雄型パネル連結部材Ｆ１と雌型パネル連結部材Ｆ２とからなり、雄型パネル連結部材Ｆ１の筐体６０ａは、筐体６０ｂと相対向する側方を開放端とされ、回動軸６４により回動自在とされた偏心カム６６と、偏心カム６６を基端部６２ａに嵌装し、先端に爪部６２ｂを有するフック６２とを内装されたものであり、また、雌型パネル連結部材Ｆ２の筐体６０ｂは、筐体６０ａと相対向する側方を開放端とされ、係止ピン６８を内装されたものである（図９）。そして、このようなパネル連結手段Ｆを一対で連結介在部材２０ａ１〜２０ｄ２に内設する。即ち、側面パネルユニット４ｃ，４ｄの場合であれば、側面パネルユニット４ｃの連結介在部材２０ｃ２に雄型パネル連結部材Ｆ１を内設し、側面パネルユニット４ｄの連結介在部材２０ｄ１に雌型パネル連結部材Ｆ２を内設する（図８）。
【００２８】
そして、雄型パネル連結部材Ｆ１の回動軸６４を六角レンチ等で操作して、偏心カム６６を回動せしめることによりフック６２を回動せしめ（矢印ａの方向）、フック６２の爪部６２ｂを雌型パネル連結部材Ｆ２の係止ピン６８に引っ掛ける。その後更に、偏心カム６６を回動せしめると、偏心カム６６が偏心していることによって、フック６２が引き戻されるため（矢印ｂの方向）、これにより、雄型パネル連結部材Ｆ１のフック６２と雌型パネル連結部材Ｆ２の係止ピン６８とが係着し緊締連結されることとなる（図９）。このようなパネル連結手段Ｆとしては、公知のパネルファスナーが利用でき（特許文献２及び特許文献３参照）、具体的には、タキゲン製造株式会社製のパネルファスナーＣ−１２０−１型等を好適に利用できる。
【００２９】
また、底部材２がそのまま露出すると見た目が悪い場合には、底部材２の周囲を囲繞するように円環状カバー帯３０を備えるようにする（図１、図１０、図１１）。円環状カバー帯３０は、一対の半円環状カバー帯３２ａ，３２ｂからなるもので、両端に内側に折曲されたフランジ部３４が夫々形成されている（図１０）。そして、この一対の半円環状カバー帯３２ａ，３２ｂを底部材２の周囲を囲繞するように相対向して配置し、フランジ部３４同士をビス３６で締結するようにすればよい（図１０、図１１）。
【００３０】
このようにして、最終的に組み立てられた底部材２と側面パネルユニット４ａ〜４ｄとの連結構造について、側面パネルユニット４ｃの場合を例にとって、図１２に基づき説明する。図１２は、図３及び図１１におけるＰ−Ｐ’部の断面を示すものである。底部材２の面取り面３ａに接する上面部が支持部５ａとされており、支持部５ａにはパネル連結手段Ｆのうちの雄型パネル連結部材Ｆ１が内設されている。底部材２の支持部５ａには側面パネルユニット４ｃにおける側面パネル部材１２ｃの側端近傍の下端部が当接しており、この当接部分である側面パネル部材１２ｃの側端近傍の下端部には、底部材２の雄型パネル連結部材Ｆ１に対応して、雌型パネル連結部材Ｆ２が内設されている。底部材２の雄型パネル連結部材Ｆ１と、側面パネル部材１２ｃの雌型パネル連結部材Ｆ２とは、前述したようにして、即ち雄型パネル連結部材Ｆ１のフック６２と雌型パネル連結部材Ｆ２の係止ピン６８とを係着し緊締連結するものである（図１２）。
【００３１】
なお、底部材２の四隅部分の内側（面取り面３ａ，３ｂ，３ｃ，３ｄの反対側）にはアジャスタＡを設けて、適宜必要に応じて、底部材２の高さ調整を可能とすることもできる。アジャスタＡは、例えば、ゴム底Ａ１と、ゴム底Ａ１の上部に設けられたボルトＡ２と、ボルトＡ２に螺合するナットＡ３と、ナットＡ３を底部材２に支持固定する支持プレートＡ４とからなるものである（図１２）。
【００３２】
次に、図１３〜図１５に基づいて、本発明ブースに外装部品又は内装部品を取り付ける場合について説明する。図１３は、本発明ブースに外装部品を取り付ける場合の例を示す斜視説明図である。図１４は、図１０におけるＸ−Ｘ’部の断面説明図である。図１５は、本発明ブースに内装部品を取り付ける場合の例を示す斜視説明図である。図１６は、図１５の要部拡大図である。
【００３３】
外装部品として、例えば本発明ブース１０の周囲に円環状棚板４４を取り付ける場合であれば、前述したように下部側面パネル部材１６ｂの円弧状パネルフレーム１７の壁面補強アングル１７ａに取付孔１７ｂを穿設し、これに合わせて外壁材１８にも貫通孔１８ａを穿孔しておき、この取付孔１７ｂ及び貫通孔１８ａにＬ字形載置台４２の取付孔をビス４６で締結してＬ字形載置台４２を固定し、Ｌ字形載置台４２に円環状棚板４４を載置するようにすればよい（図１３、図１４）。
【００３４】
また、内装部品として、例えば本発明ブース１０の内壁側の中程に側面パネル部材１２ｘの内壁面に沿った円弧形状を有する円弧状棚板４８を縦方向に３段設ける場合であれば、円弧状パネルフレーム１７を窓材等の代わりに、又は窓材等の内側面に配置して、側面パネル部材１２ｘを上部側面パネル部材１４ｘと円弧状パネルフレーム１７と下部側面パネル部材１６ｘとで構成するようにする。円弧状棚板４８には、その両端近傍の底面外周縁に嵌合溝４９，４９を凹設し（図１６）、また、円弧状パネルフレーム１７には、嵌合溝４９，４９に対応する２箇所及びその間の１箇所以上に取付孔を穿設して取付ピン５２を挿設する。なお、嵌合溝４９，４９に対応する取付ピン５２，５２は、円弧状棚板４８のサイズによっては円弧状パネルフレーム１７ではなく、図示例のように連結介在部材２０ｘ１，２０ｘ２に設けるようにしてもよい（図１６）。そして、円弧状パネルフレーム１７の取付ピン５２と円弧状棚板４８の嵌合溝４９とが嵌合するようにして載置すれば横方向だけでなく前後方向の位置ズレもなく円弧状棚板４８を配置することができる（図１５、図１６）。
【００３５】
次に、本発明ブースを催事会場等に設置した後にも容易に移動させることができるようにするための、脱着式キャスター装置について説明する。図１７は、脱着式キャスター装置の取付前の状態を示す斜視説明図である。図１８は、脱着式キャスター装置の取付後の状態を示す斜視説明図である。図１９は、脱着式キャスター装置を拡大して示す拡大斜視図拡大説明図である。図２０は、脱着式キャスター装置の要部の断面を示す要部断面説明図である。図中、符号７０ａ，７０ｂ，７０ｃ，７０ｄは脱着式キャスター装置である。なお、脱着式キャスター装置７０ｃは、図面では本発明ブース１０の裏側に位置するため、図示していない。
【００３６】
脱着式キャスター装置７０ａ，７０ｂ，７０ｃ，７０ｄは、作動位置又は据置位置に車輪７２を進退自在とされ、また、底部材２の面取り面３ａ，３ｂ，３ｃ，３ｄに対して着脱自在に付設されるものである。作動位置又は据置位置に車輪７２を進退自在とするキャスターとしては、公知のものが利用でき、例えば特許文献４等がある。
【００３７】
脱着式キャスター装置７０ａ〜７０ｄは、キャスターを底部材２の面取り面３ａ〜３ｄに対して着脱自在に付設するための取付治具を備えるものであるが、まず、取付治具用のアングル８０ａ，８０ｂを底部材２の側に備える必要がある。アングル８０ａ，８０ｂは、底部材２の面取り面３ａ〜３ｄに接する両側面における側面パネルユニット４ａ〜４ｄを組み立てた場合の円周との接線近傍に設けられる。また、アングル８０ａ，８０ｂ外方に開放した開口部を有する断面コ字形状に形成されており、上端突片８２、下端突片８４及び内側面８６とから構成されているものである。
【００３８】
そして、脱着式キャスター装置７０ａ〜７０ｄは、上記アングル８０ａ，８０ｂの開口部（上端突片８２の下端突片８４の間の空間）に嵌合し、底部材２の面取り面３ａ〜３ｄとその両隣に位置するアングル８０ａ，８０ｂの内側面８６との３面に当接するように折曲されたアーム片７４を有する取付治具を介して、底部材２に対して着脱自在に付設されるものである。
【００３９】
アーム片７４は、左突片７４ａ，胴部７４ｃ，右突片７４ｂとからなり、左突片７４ａはアングル８０ａに勘合して内側面８６に当接し、胴部７４ｃは面取り面３ｂに当接し、右突片７４ｂはアングル８０ｂに勘合して内側面８６に当接するようになっており、底部材２の面取り面３ｂの近傍に穿設された取付孔８８に右突片７４ｂに穿孔された貫通孔７１を一致させて、係止ボルト７５を挿入することにより、アーム片７４を底部材２に対して係着する（図１７、図１８、図１９）。
【００４０】
また、アーム片７４は、Ｌ字形金具７３及びプレート金具７７を介して、キャスターケース７８に連結されている。キャスターケース７８には、車輪７２を作動位置又は据置位置に進退させるための、シャフト７９、回動軸７９ａ及びレバー７６を備え、レバー７６を上下動させることにより、回動軸７９ａ及びシャフト７９を通じて、車輪７２を作動位置又は据置位置に進退自在とされているものである（図２０）。
【００４１】
このような脱着式キャスター装置７０ａ〜７０ｄを用いることにより、本発明ブース１０を催事会場等に設置した後にも容易に移動させることができるようになる。
【図面の簡単な説明】
【００４２】
【図１】本発明ブースの組み立て完成後の外観を示す斜視説明図である。
【図２】本発明ブースを各モジュールに分解して示す斜視説明図である。
【図３】本発明ブースを底面側から示す底面説明図である。
【図４】側面パネルユニットの一部を分解して内側から示す斜視説明図である。
【図５】側面パネルユニットの外側を示す斜視説明図である。
【図６】側面パネルユニットを各構成部材に分解して外側から示す斜視説明図である。
【図７】側面パネル部材の構成の一部を分解して外側から示す斜視説明図である。
【図８】パネル連結手段の取り付け態様を示す要部拡大説明図である。
【図９】パネル連結手段の動作を示す説明図であって、（ａ）はその斜視図であり、（ｂ）はその側面要部断面図である。
【図１０】円環状カバー帯を示す斜視説明図である。
【図１１】円環状カバー帯の取り付け態様を示す斜視説明図である。
【図１２】図３及び図１１におけるＰ−Ｐ’部の断面説明図である。
【図１３】本発明ブースに外装部品を取り付ける場合の例を示す斜視説明図である。
【図１４】図１０におけるＸ−Ｘ’部の断面説明図である。
【図１５】本発明ブースに内装部品を取り付ける場合の例を示す斜視説明図である。
【図１６】図１５の要部拡大図である。
【図１７】脱着式キャスター装置の取付前の状態を示す斜視説明図である。
【図１８】脱着式キャスター装置の取付後の状態を示す斜視説明図である。
【図１９】脱着式キャスター装置を拡大して示す拡大斜視図拡大説明図である。
【図２０】脱着式キャスター装置の要部の断面を示す要部断面説明図である。
【符号の説明】
【００４３】
２：底部材、２ａ：補強リブ、３ａ，３ｂ，３ｃ，３ｄ：面取り面、４ａ，４ｂ，４ｃ，４ｄ：側面パネルユニット、５ａ，５ｂ，５ｃ，５ｄ：支持部、６：天井部材、１０：組立式個室型ブース、１２ａ，１２ｂ，１２ｃ，１２ｄ，１２ｘ：側面パネル部材、１４ｂ，１４ｘ：上部側面パネル部材、１６ｂ，１６ｘ：下部側面パネル部材、１７：円弧状パネルフレーム、１７ａ：壁面補強アングル、１７ｂ：取付孔、１８：外壁材、１８ａ：貫通孔、１９：内壁材、２０ａ１，２０ａ２，２０ｂ１，２０ｂ２，２０ｃ１，２０ｃ２，２０ｄ１，２０ｄ２，２０ｘ１，２０ｘ２：連結介在部材、３０：円環状カバー帯、３２ａ，３２ｂ：半円環状カバー帯、３４：フランジ部、３６：ビス、４２：Ｌ字形載置台、４４：円環状棚板、４６：ビス、４８：円弧状棚板、４９：嵌合溝、５２：取付ピン、６０ａ，６０ｂ：筐体、６２：フック、６２ａ：基端部、６２ｂ：爪部、６４：回動軸、６６：偏心カム、６８：係止ピン、７０ａ，７０ｂ，７０ｃ，７０ｄ  脱着式キャスター装置、７１：貫通孔、７２：車輪、７３：Ｌ字形金具、７４：アーム片、７４ａ：左突片、７４ｂ：右突片、７４ｃ：胴部、７５：係止ボルト、７６：レバー、７７：プレート金具、７８：キャスターケース、７９：シャフト、７９ａ：回動軸、８０ａ，８０ｂ：アングル、８２：上端突片、８４：下端突片、８６：内側面、８８：取付孔、Ａ：アジャスタ、Ａ１：ゴム底、Ａ２：ボルト、Ａ３：ナット、Ａ４：支持プレート、Ｄ：扉材、Ｄｃ：ドアクローザー、Ｄｋ：ドアノブ、Ｆ：パネル連結手段、Ｆ１：雄型パネル連結部材、Ｆ２：雌型パネル連結部材、Ｗａ：開閉式窓材、Ｗｂ，Ｗｃ：窓材。
【図１】
2006070550.tif 000003
【図２】
2006070550.tif 000004
【図３】
2006070550.tif 000005
【図４】
2006070550.tif 000006
【図５】
2006070550.tif 000007
【図６】
2006070550.tif 000008
【図７】
2006070550.tif 000009
【図８】
2006070550.tif 000010
【図９】
2006070550.tif 000011
【図１０】
2006070550.tif 000012
【図１１】
2006070550.tif 000013
【図１２】
2006070550.tif 000014
【図１３】
2006070550.tif 000015
【図１４】
2006070550.tif 000016
【図１５】
2006070550.tif 000017
【図１６】
2006070550.tif 000018
【図１７】
2006070550.tif 000019
【図１８】
2006070550.tif 000020
【図１９】
2006070550.tif 000021
【図２０】
2006070550.tif 000022